(57)【特許請求の範囲】
【請求項１】
圧縮機、凝縮器、減圧器及び蒸発器を順次接続してなる冷凍サイクルを備え、空気調和運転を行う空気調和装置において、
前記蒸発器から滴下するドレン水を溜めるドレンパンと、
前記ドレンパン内のドレン水を排出するドレンポンプと、
前記空気調和運転が停止された場合、当該空気調和運転の停止と共に前記ドレンポンプを停止し、前記空気調和運転の停止後前記蒸発器の表面温度と、室内の空気の温度とが同じ温度になったときに、一定時間だけ作動するように前記ドレンポンプを制御する制御部と、
を備えたことを特徴とする空気調和装置。
【請求項２】
前記ドレンポンプを、前記空気調和運転の停止と共に停止してから再び作動させるまでの所定の時間は、当該空気調和装置の機種に応じて変更されること、
を特徴とする請求項１に記載の空気調和装置。
【請求項３】
圧縮機、凝縮器、減圧器及び蒸発器を順次接続してなる冷凍サイクルを備え、前記蒸発器を室内ユニットに収容して冷房運転を行う空気調和装置において、
前記蒸発器において生成されたドレン水を溜めるドレンパンと、
前記ドレンパン内のドレン水を排出するドレンポンプと、
前記蒸発器の表面温度を検出する蒸発器温度センサーと、
前記室内ユニットが設置された室内の空気の温度を検出する室内空気温度センサーと、
前記冷房運転が停止された場合、当該冷房運転の停止と共に前記ドレンポンプを停止し、前記冷房運転の停止後前記蒸発器温度センサーにより検出された前記蒸発器の表面温度と、前記室内空気温度センサーにより検出された室内の空気の温度とが同じ温度になったときに、一定時間だけ作動するように前記ドレンポンプを制御する制御部と、
を備えたことを特徴とする空気調和装置。
【発明の詳細な説明】
【技術分野】
【０００１】
本発明は、蒸発器において生成されたドレン水をドレンパンに溜め、ドレンポンプで排出する空気調和装置に関する。
【背景技術】
【０００２】
一般に、圧縮機、凝縮器、減圧器及び蒸発器を順次接続してなる冷凍サイクルを備え、冷房運転等の空気調和運転を行う空気調和装置が知られている。
この種の空気調和装置では、蒸発器で生成されたドレン水をドレンパンに溜めて、ドレンパン内のドレン水をドレンポンプで排出することが行われている。冷房運転時には、冷房運転の停止後しばらくの間は、蒸発器でドレン水が生成され、蒸発器からドレン水がドレンパンに滴下する。ドレンパン内にドレン水が溜まった状態で長期間放置されると、室内の塵埃が付着し、細菌の作用等によりドレンパンの表面にヘドロ状の「のろ」が発生する場合がある。この様な「のろ」の発生を防止するため、空気調和運転の停止後もドレンパン内の水位をフロートスイッチにより監視し、フロートスイッチが動作した場合に、ドレンポンプを一定時間運転させて、ドレンパン内のドレン水を排出することも行われている（例えば、「特許文献１」参照）。
【特許文献１】特開平４−１３９３４７号公報
【発明の開示】
【発明が解決しようとする課題】
【０００３】
しかしながら、上記特許文献１に記載の空気調和装置では、ドレンパン内のドレン水の水位がフロートスイッチの動作水位に達しない場合には、次に空気調和運転が開始するまで、ドレンポンプの運転が開始されないという課題があった。すなわち、空気調和運転の停止後、ドレン水がドレンパンに滴下した場合でも、ドレン水の水位がフロートスイッチの動作水位よりも低い場合は、ドレンパン内のドレン水が排出されないことが想定される。一方、空気調和運転の停止後、フロートスイッチの動作水位以上のドレン水が滴下した場合、上記特許文献１に記載の空気調和装置では、ドレンパン内のドレン水の水位がフロートスイッチの動作水位に達する毎にドレンポンプが作動することになり、電力を消費する。更に、空気調和運転の停止後、蒸発器の温度が室温に戻った場合、ドレン水の生成は停止する。ドレン水の生成が停止した後も、フロートスイッチによりドレンパン内の水位を常に監視するのは、待機電力を消費することになり好ましくない。
本発明の課題は、空調運転停止後も生成されるドレン水をドレンパンから排出するとともに、省エネルギー化を図ることのできる空気調和装置を提供することである。
【課題を解決するための手段】
【０００４】
上記課題を解決するために、本発明の第一態様は、圧縮機、凝縮器、減圧器及び蒸発器を順次接続してなる冷凍サイクルを備え、空気調和運転を行う空気調和装置において、前記蒸発器から滴下するドレン水を溜めるドレンパンと、前記ドレンパン内のドレン水を排出するドレンポンプと、前記空気調和運転が停止された場合、当該空気調和運転の停止と共に前記ドレンポンプを停止し、前記空気調和運転の停止後前記蒸発器の表面温度と、室内の空気の温度とが同じ温度になったときに、一定時間だけ作動するように前記ドレンポンプを制御する制御部と、を備えたことを特徴とする空気調和装置を提供する。
【０００５】
上記構成によれば、空気調和運転の停止後も蒸発器の表面温度が露点温度を超えるまでの間、蒸発器においてドレン水が凝縮し、蒸発器からドレン水がドレンパンに滴下する。空気調和運転の停止と共にドレンポンプも停止されるので、空気調和運転の停止後に蒸発器から滴下したドレン水はドレンパンに溜まる。空気調和運転の停止から予め設定された所定の時間経過後にドレンポンプが一定時間だけ作動する。従って、空気調和運転の停止から所定の時間経過までの間にドレンパンに溜まったドレン水は、ドレンポンプにより排出される。このため、ドレンパン内のドレン水の水位が低い場合でも、空気調和運転の停止後に溜まったドレン水をドレンパンから排出することができる。また、ドレンポンプは、空気調和運転の停止と共に一旦停止され、その後、所定の時間が経過すると一定時間だけ作動するので、ドレンパン内の水位が所定の水位に達する毎にドレンポンプが作動する場合や、空気調和運転の停止後、蒸発器からドレン水の滴下が停止するまで継続してドレンポンプを作動させ続ける場合と比して、省エネルギー化を図ることができる。また、空気調和運転の停止後、所定の時間の間に溜まったドレン水を排出するので、ドレンポンプの負荷が軽負荷状態で運転させるのを防止することができる。また、例えば、空気調和運転の停止後、蒸発器からドレン水の滴下が停止するまでの時間に基づいて、ドレン水の滴下が停止するまでの時間以上となるように所定の時間を設定することにより、空気調和運転の停止後に蒸発器から滴下するドレン水の全量をドレンパンから確実に排出することができる。
但し、上記一定時間とは、ドレンポンプによりドレンパン内に貯留したドレン水を全て排出可能な時間であることが好ましい。この様な一定時間は、予め実験等を行うことにより、空気調和運転の停止後に蒸発器から滴下する最大のドレン水量等に基づいて設定することができる。また、ドレンパンの容量は、空気調和運転の停止後、予め設定された所定の時間の間に、蒸発器から滴下する最大のドレン水量を貯留することのできる容量であることが好ましい。
【０００６】
また、空気調和運転の停止後、蒸発器の表面温度が室温に戻るまでに要する時間に基づいて予め設定された所定の時間経過後に、ドレンポンプを一定時間だけ作動させるので、空気調和運転の停止後に蒸発器から滴下したドレン水をドレンパンから確実に排出することができる。また、ドレンパンからドレン水を排出した後に、蒸発器からドレンパンにドレン水が滴下するのを防止することができる。
【０００７】
本発明の第二態様は、前記ドレンポンプを、前記空気調和運転の停止と共に停止してから再び作動させるまでの所定の時間は、当該空気調和装置の機種に応じて変更されること、を特徴とする。
上記構成によれば、空気調和装置の機種に応じて、蒸発器の大きさや、蒸発器が収容される室内ユニット等内の部品の配置等が異なるため、空気調和装置の運転停止後に蒸発器からドレンパンに滴下するドレン水量が変化する場合でも、所定の時間を各空気調和装置の機種に応じてドレン水の滴下が停止する時間等に応じた適切な時間とすることができる。
【０００８】
本発明の第三態様は、圧縮機、凝縮器、減圧器及び蒸発器を順次接続してなる冷凍サイクルを備え、前記蒸発器を室内ユニットに収容して冷房運転を行う空気調和装置において、前記蒸発器において生成されたドレン水を溜めるドレンパンと、前記ドレンパン内のドレン水を排出するドレンポンプと、前記蒸発器の表面温度を検出する蒸発器温度センサーと、前記室内ユニットが設置された室内の空気の温度を検出する室内空気温度センサーと、前記冷房運転が停止された場合、当該冷房運転の停止と共に前記ドレンポンプを停止し、前記冷房運転の停止後前記蒸発器温度センサーにより検出された前記蒸発器の表面温度と、前記室内空気温度センサーにより検出された室内の空気の温度とが同じ温度になったときに、一定時間だけ作動するように前記ドレンポンプを制御する制御部を備えたことを特徴とする空気調和装置を提供する。
上記構成によれば、冷房運転の停止と共にドレンポンプも停止されるので、冷房運転の停止後に蒸発器から滴下したドレン水はドレンパンに溜まる。蒸発器の表面温度と、室内ユニットが設置された室内の空気の温度とが同じ温度になった場合、蒸発器におけるドレン水の凝縮は停止し、ドレン水の滴下も停止する。この冷房運転の停止から蒸発器の表面温度が室内の空気の温度と同じ温度になるまでの間に溜まったドレン水は、ドレンポンプにより排出される。このため、ドレンパン内のドレン水の水位が低い場合でも、冷房運転の停止後に溜まったドレン水をドレンパンから排出することができる。また、ドレンポンプは、冷房運転の停止と共に一旦停止され、その後、所定の時間が経過すると一定時間だけ作動するので、ドレンパン内の水位が所定の水位に達する毎にドレンポンプが作動する場合や、空気調和運転の停止後、ドレン水の滴下が停止するまで継続してドレンポンプを作動させ続ける場合と比して、省エネルギー化を図ることができる。
【発明の効果】
【０００９】
本発明によれば、空調運転停止後も生成されるドレン水をドレンパンから排出するとともに、省エネルギー化を図ることができる。
【発明を実施するための最良の形態】
【００１０】
以下、図面を参照して本発明の実施形態について説明する。
〔第一の実施の形態〕
図１に、本発明の第一の実施の形態の空気調和装置１００の構成を示す。図１に示す様に、本実施の形態の空気調和装置１００は、室内ユニット１０が建屋の天井裏空間２０に配置されるビルトイン型の空気調和装置１００であり、圧縮機３１、凝縮器３２、減圧器３３及び蒸発器１１を冷媒配管３４を介して順次接続してなる冷凍サイクルを備え、室内を冷房する冷房運転（空気調和運転）を行う。
室外ユニット３０は屋外に設置されており、冷凍サイクルを構成する上記圧縮機３１、凝縮器３２及び減圧器３３を収容する。室内ユニット１０は、略箱形に形成された筐体１０Ａ内に送風機１２と、この送風機１２の風下側に位置する室内熱交換器としての上記蒸発器１１と、蒸発器１１から滴下するドレン水を溜めるドレンパン１３と、ドレンパン１３内のドレン水を排出するドレンポンプ１４と、ドレンパン１３内のドレン水の水位を検出する水位検出センサー１５等を備えている。また、室内ユニット１０には、ドレンポンプ１４の動作を制御する制御部４０が設けられている。
【００１１】
室内ユニット１０の筐体１０Ａには、空調空気を吐出するための吐出口１６が設けられており、この吐出口１６には、ダクト（図示略）を取り付けるための筒状のフランジ部材１７が備えられている。また、室内ユニット１０の筐体１０Ａの下面には、送風機１２の下方に室内空気を吸込むための吸込口１８が設けられている。室内ユニット１０は、天井板２１には、室内ユニット１０を収容するための開口部２２が形成されている。天井板２１に形成された開口部２２には化粧パネル２３が室内ユニット１０の下面を覆うと共に、天井板２１の表面に沿うように設けられている。化粧パネル２３には、室内ユニット１０の筐体１０Ａに形成された吸込口１８の下方に、吸込口１８を覆うように吸込グリル２４が設けられている。
【００１２】
以上の様に構成された空気調和装置１００では、送風機１２の運転によって室内空気は実線矢印Ａ、Ｂ、Ｃの順に示す様に、吸込グリル２４、吸込口１８を介して室内ユニット１０内に吸込まれ、蒸発器１１に送風される。そして、蒸発器１１において冷媒と熱交換されて冷却された空調空気が吐出口１６を介して吐出される。この際、蒸発器１１において凝縮したドレン水はドレンパン１３に滴下され、ドレンパン１３に溜められる。ドレンパン１３に溜められたドレン水は、ドレンポンプ１４により排出される。ドレンポンプ１４は、モーター１４Ａと、本体１４Ｂとから構成されている。ドレンポンプ１４の本体１４Ｂの下端には吸込口１４Ｃが設けられ、本体１４Ｂの側面には排水パイプ１９が接続されている。この排水パイプ１９は、図１に点線で示すように一旦上方に延びた後にほぼ水平に引き出され、室内ユニット１０の筐体１０Ａの壁を貫通してドレン水排出口１０Ｂに接続されている。水位検出センサー１５は水位の変化に応じて上昇するフロート１５Ａと、このフロート１５Ａを支える支持筒１５Ｂとを備えている。水位検出センサー１５は、制御部４０に接続されており、ドレンパン１３内の水位が所定の水位に達した場合、これを検出して制御部４０に水位検出信号を出力する。冷房運転時、制御部４０に、このドレンパン１３内の水位が所定の水位に達したことを示す検出信号が水位検出センサー１５から入力された場合、制御部４０はドレンポンプ１４を作動させ、ドレンパン１３内に溜まったドレン水を排水パイプ１９を介して室内ユニット１０の外部に排出させる。
【００１３】
制御部４０は、図示しないＣＰＵ、ＲＡＭ、ＲＯＭ等を備えている。また、制御部４０は、図示しないリモコン装置から送信される赤外線信号を受信する赤外線受信部を備えている。制御部４０においてＣＰＵは、赤外線受信部により受信した赤外線信号に基づき、上記リモコン装置による冷房運転の開始指示、冷房運転の停止指示等を受け、この指示に従ってＲＯＭ内に格納した制御プログラムを読み出し、ＲＡＭに展開して実行することにより、空気調和装置１００の冷房運転や、冷房停止後のドレン水排出処理をコンピューター制御により制御する。
ここで、図２を参照して、第一の実施の形態の空気調和装置１００における冷房運転停止後のドレン水排出処理について説明する。
リモコン装置から制御部４０の赤外線受信部に冷房運転の停止指示を示す赤外線信号が入力される（ステップＳ１；Ｙ）と、制御部４０は冷房運転の停止処理を行うと共に、ドレンポンプ１４の作動も停止させる（ステップＳ２）。ここで、制御部４０は冷房運転の停止処理に際して、圧縮機３１及び送風機１２の駆動を停止させるとともに、水位検出センサー１５に対する電力の供給を停止する。
【００１４】
次に、制御部４０は、内蔵する計時手段を用いて、冷房運転の停止時点からの計時を開始し、ＲＯＭ等に予め格納された「所定の時間」が経過するまで待機する（ステップＳ３）。
ここで、本実施の形態では、この「所定の時間」を「３０分」としている。この「所定の時間」は、冷房運転の停止後、当該空気調和装置１００において蒸発器１１からドレンパン１３に対するドレン水の滴下が停止するまでに要する時間に基づいて設定されている。「所定の時間」の設定に際して、例えば、人工気象室等において予め様々な気温・湿度条件の下で冷房運転を行い、蒸発器１１からドレン水の滴下が停止するまでに実際に要した時間を計測し、複数回の計測結果から、蒸発器１１からドレン水の滴下が停止するまでに要した最大の時間に基づいて設定することが好ましい。また、冷房運転の停止後に蒸発器１１から滴下したドレン水の全量をドレンパン１３から排出することが好ましい。従って、当該観点から、上記「所定の時間」は、蒸発器１１からドレン水の滴下が停止するまでに実際に要した最大の時間以上の時間であることが好ましい。
但し、ドレンパン１３内にドレン水が溜まった状態のまま長時間放置されると、「のろ」の発生等が懸念される。従って、ドレン水の滴下が停止した後、時間を置かずに、ドレンパン１３内のドレン水をドレンパン１３から排出することが好ましい。また、ドレン水の滴下が停止した後、直ちに、ドレンパン１３内のドレン水をドレンパン１３から排出することがより好ましい。当該観点から、この「所定の時間」は、蒸発器１１からドレン水の滴下が停止するまでに要する最大の時間であることがより好ましく、必要以上に長い時間とすることは好ましくない。
また、「所定の時間」は、蒸発器１１の表面温度が室温に戻るまでに要する時間に基づいて設定してもよい。蒸発器１１の表面温度が室温に戻った場合、蒸発器１１の周囲の空気は蒸発器１１の表面において凝縮することなく、ドレン水の生成が停止するためである。この場合、人工気象室等において様々な気温・湿度条件下において、室内ユニット１０内の温度、湿度変化に対する蒸発器１１の表面温度の温度変化を測定し、冷房運転停止後、蒸発器１１の表面温度が室温に戻るまでに要した最大の時間以上であることが好ましい。この場合も、ドレン水の滴下が停止した後、時間を置かずに、ドレンパン１３内のドレン水をドレンパン１３から排出することが好ましいため、当該「所定の時間」は、蒸発器１１の表面温度が室温に戻るまでに要する最大の時間であることが好ましく、必要以上に長い時間とすることは好ましくない。
なお、蒸発器１１の表面温度が露点を超えるまでに要する時間に基づいて、上記「所定の時間」を設定してもよい。蒸発器１１の表面温度が露点を超えた場合、蒸発器１１におけるドレン水の凝縮は停止するからである。
【００１５】
ステップＳ３において、制御部４０は計時手段により計時された時間が所定の時間に達した場合、次に、ドレンポンプ１４を作動させる（ステップＳ４）。ここで、ドレンポンプ１４の作動時間は予め設定された一定時間とされる。ここで、本第一の実施の形態では、この「一定時間」を「３分」としている。この一定時間は、ドレンポンプ１４によりドレンパン１３内に貯留したドレン水を全て排出可能な時間となるように予め設定される。具体的には、予め実験等を行うことにより、冷房運転の停止後に蒸発器１１から滴下する最大のドレン水量等に基づいて設定することができる。但し、本実施の形態において、ドレンパン１３は、冷房運転の停止後、蒸発器１１から滴下する最大のドレン水量を貯留することのできる容量を有している。
ドレンポンプ１４を作動させてから、上記一定時間が経過すると（ステップＳ５；Ｙ）、制御部４０はドレンポンプ１４の作動を停止させる（ステップＳ６）。
【００１６】
すなわち、図３（ａ）に示す様に、Ｔ１の時点で冷房運転が停止すると、蒸発器１１の表面温度は冷房運転の停止と共に徐々に上昇し、室温に戻る。一方、図３（ｃ）に示す様に、冷房運転が停止されたＴ１の時点において、ドレンポンプ１４の作動は停止され、所定の時間（Ｔ２−Ｔ１）経過後のＴ２の時点においてドレンポンプ１４は一定時間（Ｔ３−Ｔ２）だけ作動される。そして、ドレンポンプ１４を作動させてから一定時間が経過したＴ３の時点において、ドレンポンプ１４は停止される。但し、図３（ａ）は、蒸発器１１の表面温度の変化を時間の経過に対して示した図である。また、図３（ｂ）は空気調和装置１００の冷房運転状態を示す図であり、図３（ｃ）はドレンポンプ１４の運転状態を示す図である。
【００１７】
以上説明した上記第一の実施の形態の空気調和装置１００によれば、冷房運転の停止と共にドレンポンプ１４も停止されるので、冷房運転の停止後に蒸発器１１から滴下したドレン水はドレンパン１３に溜まる。冷房運転の停止から予め設定された所定の時間経過後にドレンポンプ１４が一定時間だけ作動する。従って、冷房運転の停止から所定の時間が経過するまでの間にドレンパン１３に溜まったドレン水は、ドレンポンプ１４により排出される。このため、ドレンパン１３内のドレン水の水位が低い場合でも、冷房運転の停止後に溜まったドレン水をドレンパン１３から排出することができる。また、ドレンポンプ１４は、冷房運転の停止と共に一旦停止され、その後、所定の時間が経過すると一定時間だけ作動するので、ドレンパン１３内の水位が所定の水位に達する毎にドレンポンプ１４が作動する場合や、冷房運転の停止後、蒸発器１１からドレン水の滴下が停止するまで継続してドレンポンプ１４を作動させ続ける場合と比して、省エネルギー化を図ることができる。また、冷房運転の停止後、所定の時間の間に溜まったドレン水を排出するので、ドレンポンプ１４の負荷が軽負荷状態で運転させるのを防止することができる。
【００１８】
また、上記第一の実施の形態の空気調和装置１００では、冷房運転の停止後、蒸発器１１からドレンパン１３へのドレン水の滴下が停止するまでに要する時間、又は、冷房運転の停止後、蒸発器１１の表面温度が室温に戻るまでに要する時間に基づいて設定された所定の時間経過後に、ドレンポンプ１４を一定時間だけ作動させるので、冷房運転の停止後に蒸発器１１から滴下したドレン水をドレンパン１３から確実に排出することができる。また、ドレンパン１３からドレン水を排出した後に、蒸発器１１からドレンパン１３にドレン水が滴下するのを防止することができる。
【００１９】
〔第二の実施の形態〕
次に、本発明に係る空気調和装置２００の第二の実施の形態を説明する。
第二の実施の形態の空気調和装置２００は、第一の実施の形態の空気調和装置１００と略同様の構成を有するため、同様の構成については同一の符号を付して説明を省略する。
第二の実施の形態の空気調和装置２００は、蒸発器１１の表面温度を検出する蒸発器温度センサー２０１と、室内ユニット１０内に吸込まれる室内空気の温度を検出する室内空気温度センサー２０２とを備えている。蒸発器温度センサー２０１は、蒸発器１１の表面温度を蒸発器１１の風上側において検出する。一方、室内空気温度センサー２０２は吸込口１８の近傍に配置される。これらの蒸発器温度センサー２０１及び室内空気温度センサー２０２から、制御部４０に対して、それぞれ蒸発器温度検出信号及び室内空気温度検出信号が出力される。
【００２０】
次に、図４を参照して、第二の実施の形態における冷房運転停止後のドレン水排出処理を説明する。
リモコン装置から制御部４０の赤外線受信部に冷房運転の停止指示を示す赤外線信号が入力される（ステップＳ１１；Ｙ）と、制御部４０は冷房運転の停止処理を行うと共に、ドレンポンプ１４の作動も停止させる（ステップＳ１２）。ここで、制御部４０は冷房運転の停止処理に際して、圧縮機３１及び送風機１２の駆動を停止させるとともに、水位検出センサー１５に対する電力の供給を停止する。
次に、制御部４０は、蒸発器温度センサー２０１から入力される蒸発器温度検出信号と、室内空気温度センサー２０２から入力される室内空気温度検出信号とに基づいて、蒸発器１１の表面温度と室内ユニット１０が設置された室内の空気の温度とが同じであるか否かを判別する（ステップＳ１３）。そして、蒸発器１１の表面温度が室内の空気の温度と同じ温度であると判別した場合（ステップＳ１３；Ｙ）、制御部４０はドレンポンプ１４を作動させ（ステップＳ１４）、一定時間経過するまで待機する（ステップＳ１５）。但し、この一定時間は、第一の実施の形態と同様に、ドレンポンプ１４によりドレンパン１３内に貯留したドレン水を全て排出可能な時間となるように予め設定された時間であり、第二の実施の形態においても、具体的には「３分」に設定されている。
そして、ドレンポンプ１４を作動させてから、上記一定時間が経過すると（ステップＳ１５；Ｙ）、制御部４０はドレンポンプ１４の作動を停止させる（ステップＳ１６）。
但し、ステップＳ１３において、蒸発器１１の表面温度と室内の空気の温度との差が１℃未満となった場合に、蒸発器１１の表面温度と室内の空気の温度とが同じであると判別するようにしてよい。
【００２１】
以上説明した、上記第二の実施の形態の空気調和装置２００によれば、冷房運転の停止と共にドレンポンプ１４も停止されるので、冷房運転の停止後に蒸発器１１から滴下したドレン水はドレンパン１３に溜まる。冷房運転の停止後も蒸発器１１の表面温度が室内ユニット１０内の露点温度を超えるまでの間、蒸発器１１においてドレン水が凝縮し、蒸発器１１からドレン水がドレンパン１３に滴下する。蒸発器１１の表面温度と、室内ユニット１０が設置された室内の空気の温度とが同じ温度になった場合、蒸発器１１におけるドレン水の凝縮は停止し、ドレン水の滴下も停止する。この冷房運転の停止から蒸発器１１の表面温度が室内の空気の温度と同じ温度になるまでの間に溜まったドレン水は、ドレンポンプ１４により排出される。このため、ドレンパン１３内のドレン水の水位が低い場合でも、冷房運転の停止後に溜まったドレン水をドレンパン１３から排出することができる。また、ドレンポンプ１４は、冷房運転の停止と共に一旦停止され、その後、所定の時間が経過すると一定時間だけ作動するので、ドレンパン１３内の水位が所定の水位に達する毎にドレンポンプ１４が作動する場合や、空気調和運転の停止後、ドレン水の滴下が停止するまで継続してドレンポンプ１４を作動させ続ける場合と比して、省エネルギー化を図ることができる。
【００２２】
以上説明した上記第一の実施の形態及び第二の実施の形態は、本発明の一態様であり、本発明の趣旨を逸脱しない範囲において適宜変更可能であるのは勿論である。
例えば、上記第一の実施の形態において説明した「所定の時間」は、空気調和装置１００の機種や、空気調和装置１００が設置された地域、設置箇所等に応じて、適宜変更可能であるのは勿論である。空気調和装置１００の機種に応じて、蒸発器１１の大きさや、蒸発器１１が収容される室内ユニット１０等内の各部の配置等が異なる。また、空気調和装置１００が設置された地域、設置箇所に応じて、気温、湿度等の周囲環境が異なる。このため、空気調和装置１００の機種や、空気調和装置１００が設置された地域、設置箇所等に応じて、冷房運転停止後に蒸発器１１からドレンパン１３の滴下が停止するまでに要する時間や、蒸発器１１の表面温度が室温に戻るまでに要する時間が変化する。従って、上記「所定の時間」を空気調和装置１００の機種や、空気調和装置１００が設置された地域、設置箇所等に応じてドレン水の滴下が停止する時間等に応じた適切な時間とすることで、蒸発器１１からドレンパン１３にドレン水の滴下が停止するまでの最大の時間に応じた適切な時間に設定することができる。
また、上記「所定の時間」や「一定時間」は予めＲＯＭ等に格納されているものとして説明したが、空気調和装置１００の設置者が現場で適宜これらの「所定の時間」や「一定時間」を変更できるように構成してもよい。
【図面の簡単な説明】
【００２３】
【図１】本発明の実施の形態の空気調和装置の室内ユニットを示す断面図である。
【図２】本発明の第一の実施の形態のドレン水排出処理の手順を示すフローチャートである。
【図３】本発明の第一の実施の形態のドレン水排出処理時の蒸発器の表面温度の変化（ａ）、冷房運転状態（ｂ）、ドレンポンプの運転状態（ｃ）を示す図である。
【図４】本発明の第二の実施の形態のドレン水排出処理の手順を示すフローチャートである。
【符号の説明】
【００２４】
１０  室内ユニット
１１  蒸発器
１３  ドレンパン
１４  ドレンポンプ
３０  室外ユニット
３１  圧縮機
３２  凝縮器
３３  減圧器
４０  制御部
１００、２００  空気調和装置
２０１  蒸発器温度センサー
２０２  室内空気温度センサー
【図１】
0005405209.tif 000002
【図２】
0005405209.tif 000003
【図３】
0005405209.tif 000004
【図４】
0005405209.tif 000005